(57)【特許請求の範囲】
【請求項１】
絶縁ガスが充填されている密閉ケースを備え、このケースの内部に、第１の接続端子に電気的に接続されている第１の静止接点と、第２の接続端子に電気的に接続されている第２の静止接点と、第１の静止接点および第２の静止接点とそれぞれ協働するように構成された第１の可動接点および第２の可動接点が設けられた可動導電ブリッジと、このブリッジに連結されて第１の接続端子と第２の接続端子の間に電気回路を結び、または電気回路を絶つ作動機構とが納められる中圧開閉器において、真空カートリッジ（５）を更に備え、この真空カートリッジには、２つの接続端子（Ａ、Ｂ）のうちの、第２の接続端子と呼ばれる１つの接続端子（Ｂ）に電気的に接続されている第３の静止接点（６）と、第１の可動接点と第２の可動接点（３、４）の間に設けられた中間点において前記ブリッジ（Ｐ）に電気的に接続され、かつ前記作動機構（Ｍ）に機械的に連結された第３の可動接点（７）と、順序決定手段とが含まれ、この順序決定手段は、前記作動機構と協働して、開閉器（Ｉ）の安定な開放位置および安定な閉成位置において、第３の静止接点（６）と第３の可動接点（７）が分離され、開閉器（Ｉ）の開放動作中または閉成動作中には、第３の静止接点（６）と第３の可動接点（７）が一時的に閉じて、第１の静止接点（１）と第１の可動接点（３）、または第２の静止接点（２）と第２の可動接点（４）に関連するアークを解消するようなやり方で、第１の静止接点と第２の静止接点および第３の静止接点（１、２、６）に組合わされている第１の可動接点と第２の可動接点および第３の可動接点（３、４、７）の開放順序および閉成順序を設定することを特徴とする中圧開閉器。
【請求項２】
前記ブリッジ（Ｐ）はロータリーであることを特徴とする請求項１に記載の開閉器。
【請求項３】
前記ブリッジ（Ｐ）は２組の異なる背中合わせのアーム（８、２８；９、２９）を備え、第１のアーム（８、２８）の１つの端部（８ａ、２８ａ）に前記第１の可動接点（３）が設けられ、第１のアーム（８、２８）の他端部（８ｂ、２８ｂ）がスピンドル（Ｘ）の周囲に枢着され、第２のアーム（９、２９）の１つの端部（９ａ、２９ａ）に前記第２の可動接点（４）が設けられ、第１のアーム（９、２９）の他端部（９ｂ、２９ｂ）がスピンドル（Ｘ）の周囲に枢着されることを特徴とする請求項１に記載の開閉器。
【請求項４】
前記作動機構（Ｍ）は回転するように駆動軸（２４）に連結されるクランク（１０）と、第１の連結棒および第２の連結棒（１１、１２）とを備え、第１の連結棒および第２の連結棒の１つの端部がクランク（１０）に連結され、第１の連結棒および第２の連結棒の他端部が第１のアーム（８、２８）と第２のアーム（９、２９）にそれぞれ連結されることを特徴とする請求項３に記載の開閉器。
【請求項５】
前記第１の端子（Ａ）は入力端子片であり、前記第２の端子（Ｂ）は出力端子であることを特徴とする請求項１に記載の開閉器。
【請求項６】
前記順序決定手段は、開閉器（Ｉ）の安定な位置において第３の静止接点（６）と第３の可動接点（７）を分離状態に維持し、かつ開閉器（Ｉ）の開放動作中は第２の静止接点（２）と第２の可動接点（４）が分離する前、および開閉器（Ｉ）の閉成動作中は第２の静止接点（２）と第２の可動接点（４）が閉成した後まで、それら２つの接点（６、７）を閉成状態に維持するようにされることを特徴とする請求項１に記載の開閉器。
【請求項７】
前記順序決定手段は、前記第１の静止接点（１）に設けられて、前記第１の可動接点（３）のあらかじめ設定されている移動距離中は前記第１の可動接点（３）に接触したままである長くされた固定端子片（１ａ）と、前記第２の静止接点（２）に設けられて、前記２の可動接点（４）の動きが行われた時に、前記第２の可動接点のあらかじめ設定されている移動距離中は前記第２の可動接点（４）に接触したままでない短い静止端子片（２ａ）とを含むことを特徴とする請求項１に記載の開閉器。
【請求項８】
第３の可動接点（７）は、第３の静止接点および第３の可動接点（６、７）の開放の向きにばね手段（１４）により偏倚させられて、並進運動できる棒（１３）により支持され、この棒（１３）は前記アームに設けられている手段（Ｓ）と協働して、前記第３の静止接点（６）と第３の可動接点（７）の開放および閉成の順序を決定することを特徴とする請求項３に記載の開閉器。
【請求項９】
前記手段は第１のアーム（２８）または第２のアーム（２９）に確実に組合わされた少なくとも１つのカム（１５）を備え、このカムの輪郭が前記順序を決定することを特徴とする請求項８記載の開閉器。
【請求項１０】
前記手段は、アーム（８、９）のうちの１つ（８）に設けられてスピゴット（１７）と協働する開口部（１６）を備え、前記スピゴットは連結棒（１８）に確実に組合わされ、前記連結棒の１つの端部（１８ａ）が前記棒（１３）に連結され、前記連結棒の他端部（１８ｂ）が前記棒（１３）に関節状に連結され、自由に回転するように前記スピンドル（Ｘ）に取り付けられているクランク（１９）に関節状に連結されることを特徴とする請求項８に記載の開閉器。
【請求項１１】
前記開口部（１６）の形は円弧状であって、開口部の幅が異なる２つの部分（１６ｂ、１６ｃ）を形成するように切り欠きつきくぼみ（１６ｆ）を含むことを特徴とする請求項１０に記載の開閉器。
【請求項１２】
大地（Ｔ）に接続された第４の静止接点（２０）と、前記第２の端子（Ｂ）に接続された第５の静止接点（２１）とを更に備え、前記第４の静止接点は、前記スピンドル（Ｘ）に関して第２の静止接点（２）とは直径方向の反対側に設けられ、前記第５の静止接点は、前記スピンドル（Ｘ）に関して第１の静止接点（１）とは直径方向の反対側に設けられ、開閉器が接地された位置にある時は、第１の静止接点および前記第２の静止接点（２０、２１）は第１の可動接点および第２の可動接点（３、４）とそれぞれ協働することを特徴とする請求項３に記載の開閉器。
【発明の詳細な説明】
【０００１】
【産業上の利用分野】
本発明は、中圧開閉器としてはもちろん遮断器としても使用するように構成された開閉器に関するものである。
【０００２】
【従来の技術】
米国特許第５，１６８，１３９号に開示されている負荷遮開閉器は、前方接触面を有する同軸的に向き合う２つの接触スピンドルが貫通する２つの導電端部カバーによって閉じられている絶縁筒状ケースを主として備える真空開閉器と、２つの刃型開閉接点とを備え、開閉接点の１つは真空開閉器に並列に設けられ、他方の開閉接点は、その並列設置によって構成された並列回路に直列に設けられていることが知られている。この負荷遮開閉器は、負荷開放開閉器が閉じられていて、２つの開閉接点が安定な閉成位置にある時は、開閉器の動作中にわたって真空断続器が開放状態を維持するように動作する。負荷開放開閉器が開かれていて、真空断続器の接点がまず閉じられると、並列に設けられている開放接点が開かれ、それから真空コミュテーター接点が開かれ、最後に、直列に配置されている第２の接点が開かれる。
【０００３】
しかし、この開閉器は２つの独立した開閉器制御器を必要とし、その結果として寸法がとくに大きくなる。
【０００４】
仏国特許第２，６６８，８５１号に開示されている多極ロータリ開閉器は、高い絶縁耐力を持つ気体を充たされた密封回転ケースによって主として構成され、そのケースの内部には、極ごとに、静止入力接点と、静止出力接点と、静止接地接点とが納められる。それらの接点はある角度をおいて離隔され、ケースの軸線に沿って延長する回転作動軸によって支持される、回動するナイフの刃型の接点ブリッジと協働する。真空切り離し技術を使用しないこの実施例においては、前記軸は開放位置と、閉成位置と、接地位置との３つの位置を選択的に占めることができる。
【０００５】
【発明が解決しようとする課題】
本発明の目的は、真空切り離し技術を用いる、構造が簡単で、小型の開閉器および遮断器を得ることである。
【０００６】
【課題を解決するための手段】
この目的は、絶縁ガスが充填されている密封ケースを備え、このケースの内部に、第１の接続端子に電気的に接続されている第１の静止接点と、第２の接続端子に電気的に接続されている第２の静止接点と、第１の静止接点および第２の静止接点とそれぞれ協働するように構成された第１の可動接点および第２の可動接点が設けられた可動導電ブリッジと、このブリッジに連結されて第１の接続端子と第２の接続端子の間に電気回路を結び、または電気回路を断つ作動機構とが納められる中圧開閉器において、真空カートリッジを更に備え、この真空カートリッジには、２つの接続端子のうちの、第２の接続端子と呼ばれる１つの接続端子に電気的に接続されている第３の静止接点と、第１の可動接点と第２の可動接点の間に設けられた中間点において前記ブリッジに電気的に接続され、かつ前記作動機構に機械的に連結された第３の可動接点と、順序決定手段とが含まれ、この順序決定手段は、前記作動機構と協働して、開閉器の安定な開放位置および安定な閉成位置において、第３の静止接点と第３の可動接点が分離され、開閉器の開放動作中または閉成動作中には、第３の静止接点と第３の可動接点が一時的に閉じて、第１の静止接点と第１の可動接点、または第２の静止接点と第２の可動接点に関連するアークを解消するようなやり方で、第１の静止接点と第２の静止接点および第３の静止接点に組合わされている第１の可動接点と第２の可動接点および第３の可動接点の開放順序および閉成順序を設定することを特徴とする中圧開閉器によって達成される。
【０００７】
特定の実施例に従って、前記ブリッジはロータリーである。
【０００８】
特定の特徴に従って、前記ブリッジは２組の異なる背中合わせのアームを備え、第１のアームの１つの端部に前記第１の可動接点が設けられ、第１のアームの他端部がスピンドルの周囲に枢着され、第２のアームの１つの端部に前記第２の可動接点が設けられ、第１のアームの他端部がスピンドルの周囲に枢着される。
【０００９】
前記作動機構は回転するように駆動軸に連結されるクランクと、第１の連結棒および第２の連結棒とを備え、第１の連結棒および第２の連結棒の１つの端部がクランクに連結され、第１の連結棒および第２の連結棒の他端部が第１のアームと第２のアームにそれぞれ連結される。
【００１０】
前記第１の端子を入力端子片とし、前記第２の端子を出力端子とすると有利である。
【００１１】
別の特徴に従って、前記順序決定手段は、開閉器の安定な位置において第３の静止接点と第３の可動接点を分離状態に維持し、かつ開閉器の開放動作中は第２の静止接点と第２の可動接点が分離する前、および開閉器の閉成動作中は第２の静止接点と第２の可動接点が閉成した後まで、それら２つの接点を閉成状態に維持するようにされる。
【００１２】
別の特徴に従って、前記順序決定手段は、前記第１の静止接点に設けられて、前記１の可動接点の移動中は前記第１の可動接点に接触したままである延長した固定端子片と、前記第２の静止接点に設けられて、前記２の可動接点の動きが行われた時に、前記２の可動接点の移動中は前記第２の可動接点に接触したままでない短縮した静止端子片とを含む。
【００１３】
別の特徴に従って、第３の可動接点は、第３の静止接点および３の可動接点の開放の向きにばねによって偏倚させられて、並進運動できる棒によって支持され、この棒は前記アームに設けられている手段と協働して、前記第３の静止接点と第３の可動接点の開放および閉成の順序を決定する。
【００１４】
特定の実施例に従って、前記手段は第１のアームまたは第２のアームに確実に組合わされた少なくとも１つのカムを備え、このカムの輪郭が前記順序を決定する。
【００１５】
別の実施例に従って、前記手段は、アームのうちの１つに設けられてスピゴットと協働する開口部を備え、前記スピゴットは連結棒に確実に組合わされ、前記連結棒の１つの端部が前記棒に連結され、前記連結棒の他端部が前記棒に関節状に連結され、自由に回転するように前記スピンドルに取り付けられているクランクに関節状に連結される。
【００１６】
別の特徴に従って、前記開口部の形は円弧状であって、開口部の幅が異なる２つの部分を形成するように切り欠き付きくぼみを含む。
【００１７】
別の実施例に従って、地面に接続された第４の静止接点と、前記第２の端子に接続された第５の静止接点とを更に備え、前記第４の静止接点は、前記スピンドルに関して第２の静止接点とは直径方向の反対側に設けられ、前記第５の静止接点は、前記スピンドルに関して第１の静止接点とは直径方向の反対側に設けられ、開閉器が接地された位置前記にある時は、第１の静止接点および前記第２の静止接点は第１の可動接点および第２の可動接点とそれぞれ協働する。
【００１８】
【実施例】
図１ないし図７は本発明の開閉器の特定の実施例の開閉の種々の段階に対応する種々の位置における半径方向断面図である。
【００１９】
図示の本発明の開閉器は、中圧遮断器Ｄとして使用されていることがわかる。この開閉器は、絶縁ガスが充たされている密閉ケースＥの内部に納められている。ケースの絶縁壁は遮断器Ｄの単極装置または３極装置の絶縁壁とすることができる。別の実施例においては、ケースの壁を金属で構成できることが分かる。図示の極装置は、電流入力導体用の密閉ブッシング２２と、電流出力導体用の密閉ブッシング２３を有する。それらのブッシング２２、２３は静止入力接点１と静止出力接点２をそれぞれ支持する。それらの静止接点１、２は、入力端子片と出力端子片をそれぞれ構成する接続端子Ａ、ＢによってそれぞれケースＥの外部に終端する。
【００２０】
遮断器Ｄは、可動導電ブリッジＰと、作動機構Ｍと、カートリッジ５とを更に備える。可動導電ブリッジＰと作動機構Ｍは協働して第１の接続端子Ａと第２の接続端子Ｂの間に電流を流したり、それらの端子の間の電流を遮断したりする。カートリッジ５は静止接点６と可動接点７を含む。静止接点６は静止出力接点２に接続され、可動接点７は前記ブリッジＰに接続されて、第１の静止接点と第１の可動接点または第２の静止接点と第２の可動接点の間に生ずるアークを、後で述べるようにしてスイッチする。
【００２１】
前記可動導電ブリッジＰは２本のアーム８、９を有する。それらのアームの１つの端部が、ケースＥに確実に連合されているスピンドルＸに関節状に連結され、アーム８、９の他端部はそれぞれ第１の可動接点３と第２の可動接点４を構成する。それらの可動接点３、４は、前記スピンドルＸを中心としてアーム８、９が回転すると、前記第１の静止接点１と第２の静止接点２にそれぞれ接触するように構成されている。前記スピンドルＸに平行に延長しているモータ軸２４に回転するように連結されているクランク１０と、２本の連結棒１１、１２とによって構成されている作動機構Ｍによって前記アーム８、９は回転させられる。連結棒１１、１２の一方の端部がスピンドル２５に関節状に連結され、他端部がスピンドル２６、２７にそれぞれ関節状に連結される。スピンドル２５は前記クランク１０に確実に結び付けられ、スピンドル２６、２７はそれぞれ前記アーム８、９に確実に結び付けられる。
【００２２】
真空カートリッジ５は筒形壁５ａによって形成される。その壁５ａは、たとえば、ケースＥの壁で形成され、カートリッジの静止接点６と可動接点７を受けるハウジング５ａを構成する。静止接点６は導電要素６ａによって前記第２の静止接点２に接続され、カートリッジ５の第３の可動接点と呼ばれる可動接点７は、カートリッジ５の中間壁５ｃを貫通して滑動するように装着されている棒１３の１つの端部１３ａに固定され、他端部１３ｂが連結棒１８の１つの端部１８ａに関節状に連結される。連結棒１８の他端部１８ｂは第２のクランク１９に連結される。このクランク１９は前記中央固定スピンドルＸに自由に回転するように取り付けられる。真空カートリッジ５の第３の静止接点６と第３の可動接点７は、中間壁５ｃとカートリッジ５の底壁５ｄの間に配置されているばね１４によって開放位置に常に偏倚させられる。第３の可動接点７と中間壁５ｃの間に密封ベローズ５ｅが設けられる。
【００２３】
本発明の遮断器Ｄは、前記第１，第２，第３の静止接点１，２，６にそれぞれ組合わされている前記第１，第２，第３の可動接点３，４，７の開閉順序を決定する適当な順序決定手段も有する。第１の静止接点１には長くされた固定片１ａが形成され、第２の静止接点２には短くされた固定片２ａが形成され、円弧状の開口部１６が幅の異なる開口部１６ｂと１６ｃによって形成される。それらの開口部１６ｂと１６ｃは一緒に接合されて切れ欠き付きのくぼみ１６ｆを形成する。前記開口部１６は、前記連結棒１８にそれの軸線に固定されているスピゴット１７と協働する。
【００２４】
図９ないし図１４を参照して、開閉器Ｉが前記遮断器Ｄと同様に構成されていることが分かる。しかし、この開閉器は、接地Ｔされている第４の静止接点２０と、前記第２の静止接点２に電気的に接続されている第５の静止接点２１も有する。
【００２５】
図１６ないし図２０を参照して、開閉器Ｉが、接地されている第４の静止接点２０と、前記第２の静止接点２に電気的に接続されている第５の静止接点２１も有することも分かる。この開閉器は、真空カートリッジ５の第３の静止接点６と第３の可動接点７の開閉順序を設定する手段の構造が、前記開閉器とは異なる。
【００２６】
本発明のこの実施例によれば、第２のアーム２９が、第３の静止接点６と第３の可動接点７の開閉を制御するために、棒１３と直接協働するように構成されたカム１５を備える。
【００２７】
次に、図２１ないし図２１ｃを参照する。それらの図に示す遮断器Ｄの実施例では、長くされた固定片１ａを有する第１の静止接点１と、短い固定片２ａを有する第２の静止接点２との間で電流を流したり、流れている電流を遮断することを可能にする回転単ブロック導電ブリッジを使用する。このブリッジ８は作動軸（図示せず）によって回転駆動させられ、真空カートリッジ５の可動接点７に電気的に接続される。真空カートリッジ５の静止接点６は前記第２の静止接点２に電気的に接続される。
【００２８】
次に図１ないし図８を参照して図１ないし図７に示す遮断器の動作を説明する。
【００２９】
図１においては、遮断器Ｄは閉成位置にあり、第１の静止接点１と第１の可動接点３、および第２の静止接点２と第２の可動接点４がそれぞれ閉じて、入力端子Ａと出力端子Ｂの間を電流が流れるようにする。また、真空カートリッジの接点６と７は開かれる。図２においては、クランク１０が作動軸２４によって約３０度の角度だけ（矢印Ｆの向きに）回転させられている。そのために導電ブリッジＰ２本のアーム８と９が対応する角度だけ角運動させられる。この運動中に、第２のアーム９に設けられている開口部１６のくぼみ１６ｆを構成する縁部が、対応する連結棒１８に確実に連合させられているスピゴット１７に接触する。そうすると連結棒１８が第２のクランク１９によってスピンドルＸを中心として回転させられ、第３の静止接点６と第３の可動接点７を閉じさせるようにカートリッジ５の上部へ向かって棒１３を並進させる。
【００３０】
導電ブリッジＰのこの位置においては、第１の静止接点１のＬ形接点片１ａの延長のために、第１の静止接点１と第１の可動接点３は閉じられたままであるが、第３の静止接点６と第３の可動接点７が閉じられた後では、第２の静止接点２と第４の可動接点４は開かれる。その結果としてアークが真空カートリッジ５へ移される。
【００３１】
図３においては、作動軸２４が更に回転して、２本のアーム８、９を対応して回転させた後では、真空カートリッジ５の第３の静止接点６と第３の可動接点７が開き、端子ＡとＢの間の電流を絶つ。第３の静止接点６と第３の可動接点７が開いて、電流が絶たれた後では、第１の静止接点１と第３の可動接点３は開かれる。図４ではそれらの接点は完全に開かれて、遮断器が完全に開かれた位置にあることを示す。
【００３２】
図５においては、作動軸２４が１回転の約４分の３だけ、常に同じ向き（矢印Ｆ参照）に回転した後では、遮断器Ｄは閉成途中にあって、第２の静止接点２と第２の可動接点４が閉成を開始する。アーム９が回転すると、棒１３を上へ向かって動かして、第１の静止接点１と第１の可動接点３が閉じる（図６に示すように）前に、カートリッジ５の第３の静止接点６と第３の可動接点７を閉じるように、棒１３に組合わされているスピゴット１７が前記開口部１８の縁部１６ａによって駆動される。これによって、第１の静止接点１と第１の可動接点３に関連するアークが図７に示すように切り換えることができる。遮断器Ｄの閉成が起きた時のカートリッジ５の閉じた位置は、遮断器Ｄの開放が起きた時のカートリッジ５の開放が維持される時間にほぼ等しい時間だけ維持されることに注目できる。また、作動軸２４は遮断器Ｄを開放させるため、および閉成させるためにも、常に同じ向き（矢印Ｆ）に回転していることにも注目できる。
【００３３】
以上説明した種々の接点の相対位置を図８にとくに示す。第１の静止接点１と第１の可動接点３の状態を図８（ａ）に示し、第２の静止接点２と第２の可動接点４の状態を図８（ｂ）に示し、真空カートリッジ５の静止接点６と可動接点７の状態を図８（ｃ）に示し、遮断器ｄの状態を図８（ｄ）に示す。
【００３４】
次に、図９ないし図１５を参照して本発明の開閉器の実施例の動作を簡単に説明する。この動作は先に説明した遮断器の動作に類似し、開放サイクルの終りに追加の接地段階を持つこと、および開放の時とは反対の向きに作動軸２４を回転させることによって開閉器Ｉが閉じること、が異なる。
【００３５】
図９においては、開閉器Ｉは完全に閉じた位置にあり、第１の静止接点１と第１の可動接点３および第２の静止接点２と第２の可動接点４がそれぞれ閉じられており、真空カートリッジ５の静止接点６と可動接点７が開かれている。図１０においては、作動軸２４が開放の向き（図９の矢印Ｆ参照）に回転した後で、開閉器Ｉは開放位置にある。中間開放段階は先に述べた遮断器のそれに一致するから、中間開放段階については説明しない。
【００３６】
図１１においては、作動軸２４を常に同じ向きに更に回転させると、導電ブリッジＰの２本のアーム８、９が第４の静止接点２０と第５の静止接点２１にそれぞれ接触させられることがわかる。この運動中は、棒１３に組合わされているスピゴット１７は開口部１６の底１６ｅまで動き、真空カートリッジの接点６と７は開かれたままであることが分かる。開閉器のこの位置においては、端子Ｂに接続されている下流側の回路はすべて地面Ｔに接続される。
【００３７】
図１５を参照して、開閉器の開放中の接点の状態は遮断器Ｄのそれに一致することが分かる。
【００３８】
図１２においては、作動軸２４が閉成の向き（開放の向きとは逆である）に回転した後で、第１の静止接点１と第１の可動接点３が閉成を開始する。そうするとスピゴット１７が開口部１６の縁部１６ｅへ向かって動く。しかし、この動きは棒１３には何の作用も及ぼさない。図１３においては、第１の静止接点１と第１の可動接点３が閉じられ、第２の静止接点２と第２の可動接点４の間の閉成がトリガされ、第２のアーム９が棒１３を縁部１６ａによって動かすことを開始する。接点１と３、３と４がそれぞれ完全に閉じた後で、第３の静止接点６と第３の可動接点７が閉じ（図１４）、それから再び開いて、ばね１４の開放位置に自動的に戻される。
【００３９】
閉成中の開閉器Ｉの動作は遮断器Ｄのそれと同じであり、違いは、開閉器の場合には、カートリッジ５の閉成の前、および第２の静止接点２と第２の可動接点４の閉成の前に、第１の静止接点１と第１の可動接点３が閉じることである。
【００４０】
次に、本発明の開閉器Ｉの動作を図１６ないし図２０と図１５の動作図を参照して説明する。第１の接点１と３の状態を図１５（ａ）に示し、第２の接点２と４の状態を図１５（ｂ）に示し、第３の接点６と７の状態を図１５（ｃ）に示し、接点３と２０の閉成および接点４と２１の閉成とによる接地を図１５（ｄ）に示し、開閉器Ｉの状態を図１５（ｅ）に示す。
【００４１】
図１６では、開閉器Ｉは閉成位置にあり、第１の接点１と３および第２の接点２と４がそれぞれ閉じられ、第３の静止接点６と第３の可動接点７はばね１４によって開放位置に戻されている。
【００４２】
図１７においては、作動軸２４が図１６に見える矢印Ｆの向きに回転すると、ブリッジＰの２本のアーム２８と２９が開くから、アーム２８と２９のうちの第１のアーム２８は第１の静止接点１に接触したままであり、第２のアーム２９の可動接点４は第２の静止接点２にもはや接触しない。この回転中に、第２の静止接点２と第２の可動接点４が開く前は、第２のアーム２９によって支持されているカム１５が動くことによって、真空カートリッジ５の可動接点７に関連する棒１３が上へ向かって動かされて、第３の静止接点６と第３の可動接点７を閉じさせる。作動軸３４が更に回転した後では、カム１５の運動と、ばね１４の復帰作用とのために真空カートリッジ５の静止接点６と可動接点７は閉じられ、それから第２の接点２と４は一層広く開き、第１の接点１と３は開放を開始する。
【００４３】
図１９においては全ての接点が開かれ、そのために開閉器Ｉは開放位置に置かれる。閉成動作中の開閉器Ｉの動作は前記第１の実施例のそれと同じであるから、その閉成動作については説明しない。
【００４４】
最後に、図２１（ａ）ないし図２１（ｄ）に示す遮断器Ｄの実施例の種々の開放段階について簡単に説明する。図２１（ａ）においては、遮断器Ｄは閉成位置にあり、それの静止接点と可動接点は閉じられている。図２１（ｂ）においては、真空カートリッジ５の接点６と７が閉じ、第２の静止接点２と第２の可動接点４は開き、第１の静止接点１と第１の可動接点３は閉じたままである。図２１（ｃ）においては、真空カートリッジ５の接点６と７が開いて遮断を達成し、それから第１の接点１と３が開く。そして図２１（ｄ）においてはすべての接点は開いている。
【００４５】
種々の命令が簡単な制御部によって実行され、かつ真空カートリッジが持続電流を保持する時間が非常に短いために開閉器の構造によって小型の真空カートリッジを使用可能にされるために、構造が簡単で小型の本発明の遮断器及び開閉器を本発明によって達成した。
【００４６】
もちろん、本発明は、例としてのみ与えた、以上説明し、かつ図に示す実施例に限定されるものではない。
【００４７】
したがって、回転ブリッジではなくて並進移動できる単ブロックカートリッジを使用できる。
【００４８】
これに反して、ここで説明した手段のあらゆる技術的均等物と、それの組合わせが本発明の要旨に従って達成されるならば、本発明はそれらをすべて包含する。
【図面の簡単な説明】
【図１】閉成位置にある遮断器を示す。
【図２】第２の静止接点と第２の可動接点に関連するアークのスイッチング位置における、開放中の遮断器を示す。
【図３】図２に示す段階よりも進んだ段階にある開放中の遮断器を示す。
【図４】完全な開放位置における遮断器を示す。
【図５】閉成中の遮断器を示す。
【図６】図５に示す段階よりも進んだ段階にある閉成中の遮断器を示す。
【図７】第１の静止接点と第１の可動接点に関連するアークのスイッチング位置における、閉成中の遮断器を示す。
【図８】遮断器の開放と閉成の種々の段階における遮断器の種々の接点の開放状態および閉成状態を現す動作線図を示す。
【図９】本発明の開閉器の別の実施例の閉成位置における半径方向断面図を示す。
【図１０】本発明の開閉器の別の実施例の開放位置における半径方向断面図を示す。
【図１１】本発明の開閉器の別の実施例の接地位置における半径方向断面図を示す。
【図１２】開閉器の閉成のある段階に対応する位置における開閉器を示す。
【図１３】図１２と同じ開閉器の閉成の図１２とは異なる段階に対応する位置における開閉器を示す。
【図１４】図１２と同じ開閉器の閉成の図１２および図１３とは異なる段階に対応する位置における開閉器を示す。
【図１５】種々の開閉器接点の状態を表す図８の動作線図に類似する動作線図を示す。
【図１６】本発明の開閉器の別の実施例の閉成位置に対応する位置における半径方向断面図を示す。
【図１７】本発明の開閉器の別の実施例の開放位置の初めに対応する位置における半径方向断面図を示す。
【図１８】本発明の開閉器の別の実施例の開放位置の終りに対応する位置における半径方向断面図を示す。
【図１９】本発明の開閉器の別の実施例の開放位置に対応する位置における半径方向断面図を示す。
【図２０】本発明の開閉器の別の実施例の接地位置に対応する位置における半径方向断面図を示す。
【図２１】導電ブリッジが単ブロックである本発明の遮断器の別の実施例の開放のある段階の略図を示す。
【符号の説明】
１、２、６、２０、２１  静止接点
３、４、７  可動接点
５  真空カートリッジ
８、９、２８、２９  アーム
１０  クランク
１１、１２  連結棒
１３  棒
１４  ばね
１５  カム
２４  作動軸
Ａ、Ｂ  端子
Ｄ  遮断器
Ｅ  密閉ケース
Ｉ  開閉器
Ｍ  作動機構
Ｐ  導電ブリッジ
【図１】
0003544744.tif 000002
【図２】
0003544744.tif 000003
【図３】
0003544744.tif 000004
【図４】
0003544744.tif 000005
【図５】
0003544744.tif 000006
【図６】
0003544744.tif 000007
【図７】
0003544744.tif 000008
【図８】
0003544744.tif 000009
【図９】
0003544744.tif 000010
【図１０】
0003544744.tif 000011
【図１１】
0003544744.tif 000012
【図１２】
0003544744.tif 000013
【図１３】
0003544744.tif 000014
【図１４】
0003544744.tif 000015
【図１５】
0003544744.tif 000016
【図１６】
0003544744.tif 000017
【図１７】
0003544744.tif 000018
【図１８】
0003544744.tif 000019
【図１９】
0003544744.tif 000020
【図２０】
0003544744.tif 000021
【図２１】
0003544744.tif 000022